(57)【要約】メタルハライドランプは、アーク管と、ワイヤフレームの間を取り囲む管状石英スリーブとを有する。このワイヤフレームは、１対の実質的に平行なワイヤフレーム部材と、この２本のフレーム部材が出会う頂上部とから形成される。この２本のフレーム部材は、電流供給リード線を有するガラス製のステムに取り付けられる。スリーブは、２対の直径に沿って対向する開口部を備え、開口部の各対は、細長いワイヤＵ字形クリップを受けとり、このワイヤＵ字形クリップが、スリーブ内側のアーク管のピンチされた端部と、スリーブ外側のフレーム部材とを取り付ける。スロットをもつディスクは、このスロットを通してワイヤフレームの頂上部に挿入される。
2004502277.tif 000002
【特許請求の範囲】
【請求項１】
１対の対向するピンチされた端部をもつ光源と、
１対の実質的に平行なワイヤフレーム部材、及び前記フレーム部材が出会う頂上部から形成されるワイヤフレームと、
前記フレーム部材間において前記光源を取り囲む管状スリーブと、
スロットをもつディスクであって、前記スロットを通して前記頂上部に挿入される前記ディスクとを有するランプ。
【請求項２】
前記スロットが、前記ディスクの中心に配置される、請求項１に記載のランプ。
【請求項３】
前記ディスクが、前記実質的に平行なワイヤフレーム部材の間の距離と少なくとも同程度の長さの直径を有する、請求項１に記載のランプ。
【請求項４】
前記ワイヤフレーム周りに配置される外囲部を更に有し、前記ランプが壊れる場合に前記ディスクがドームを保護するように、前記外囲部が、前記ディスクの上方に配置される前記ドームを有する、請求項１に記載のランプ。
【請求項５】
ガラスステムと、電流を前記光源に供給するように前記ガラスステムに埋め込まれた１対のリード線とを更に有し、前記フレーム部材が前記リード線から電気的に絶縁される、請求項１に記載のランプ。
【請求項６】
前記フレーム部材が、前記ガラスステムに固定される対向する端部をもつ単一のワイヤから形成される、請求項５に記載のランプ。
【請求項７】
前記ガラスステム周りに取り付けられた、前記ガラスステム周りの前記フレーム部材の前記端部を保持するリングを更に有する、請求項５に記載のランプ。
【請求項８】
前記ディスクがマイカから形成される、請求項１に記載のランプ。
【請求項９】
前記光源がメタルハライドのアーク管である、請求項１に記載のランプ。
【請求項１０】
前記頂上部の先端に取り付けられたクリップを更に有するとともに、前記クリップは、前記ディスクが接触するコーナーを形成する曲げられた側部を有する、請求項１に記載のランプ。
【請求項１１】
前記クリップが、前記ピンチされた端部の平面に対して垂直である平面に配置される、請求項１０に記載のランプ。
【発明の詳細な説明】
【０００１】
【発明の属する技術分野】
本発明は、ランプ、とりわけアーク管を取り囲む保護スリーブ及びスリーブを取り囲むステムに固定されるガラス製の外囲部（エンベロープ）をもつメタルハライド放電ランプであって、このランプ内において、スリーブ及びアーク管が、ステムに取り付けられる金属フレームにより支持される、ランプに関する。
【０００２】
メタルハライドランプは、万一アーク管が割れる場合に散乱する破片の衝撃を吸収するように圧力をかけられたアーク管を取り囲む管状のシールドを一般的に組み入れる。シールド及びアーク管は双方とも、ステムに取り付けられた金属フレームによって支持され、このフレームは、アーク管に対してリード線から電気的に絶縁される。このことは高いワット数のランプについて特に重要なことである。アーク管の近傍で電流を伝える部材は、ナトリウムの目減り（ロス）を引き起こす可能性があるので、アーク管の横壁から電流キャリアを電気的に離すことが好ましい。
【０００３】
【従来の技術】
米国特許出願シリアル番号０９／１６５，６８１は、上記に説明されたタイプのメタルハライドランプを開示し、この特許出願において、アーク管及び取り囲むシールドが、ステムに取り付けられた金属フレームにより支持される。より低い電極に対しては編み組みワイヤにより、より高い電極に対してはアーク管から十分に遠ざけられたフライングリードにより、電流がアーク管に供給される。この構造は、特に１０００ワットランプに適している。
【０００４】
【発明が解決しようとする課題】
マイカシールドは、ランプステム又はベース領域に反射される熱量を低減するとともに、フェイルセーフのランプのタングステンフィラメントの光電子放出も同様に抑えるように、メタルハライドランプ内に組み込まれる。但し、外側バルブ外囲部のドームは、無防備のままにされている。
【０００５】
安全性を向上するため、例えばランプが力を受けて破裂するような万一ランプが壊れる場合、電気的にフロートされたフレームをもつランプの製造コストの最小限の上昇だけで、外側バルブ外囲部のドームを保護することが望ましい。
【０００６】
【課題を解決するための手段】
本発明によると、ランプは、１対の対向するピンチされた端部をもつ光源と、１対の実質的に平行なワイヤフレーム部材及び２本のフレーム部材が出会う頂上部から形成されるワイヤフレームとを有する。管状スリーブは、フレーム部材の間の光源を取り囲む。更にこのランプは、スロットをもつディスクを有し、このディスクがスロットを通して頂上部に挿入される。クリップは、頂上部の先端に取り付けられ、ディスクを所定の位置に保持する。このクリップは、ディスクに接触するコーナーを形成する曲がった側部をもつ。万一アーク管が壊れる場合、飛び散る破片が外囲部のドームにぶつかり、それが割れる原因にならないように保証することによって、ディスクは、ランプのガラス外囲部のドームを保護する。
【０００７】
これら及びさらなる利点は、以下の図面及び説明から明らかになるであろう。
【０００８】
【発明の実施の形態】
図１Ａ及び１Ｂは、絶縁された中心接点１１をもつスクリューベース１０と、ガラスステム１２と、このステム１２に封止されるガラス外囲部１４とを有するメタルハライド放電ランプを示す。このランプの内部には、対向するピンチされた端部３１，３３をもつアーク管２８がある。第１リード線１８及び第２リード線２２は、ステム１２を通して受けとられ、アーク管２８の対向するピンチされた端部３１，３３におけるそれぞれのリードスルー３０，３２に接続される。これらは、アークを維持する電極としての役割を果たす。第１リード線１８は、フライングリード２６を介して第１リードスルー３０に接続される一方で、第２リード線２２は、編み組み結線２０を介して第２リードスルー３２に接続される。フライングリード２６が電流を伝える前に、スターター２４は、第１端部においてグロー放電をもたらし、そこでスターター２４のバイメタルストリップが開いてフライングリード２６を通る電流を第２電極に分流する。起動回路は、米国特許第５，０７９，４８０号にある程度詳細が説明されている。
【０００９】
フレーム５０は、スチールワイヤから形成されるとともに、１対の平行なフレーム部材５２，５４とこの２本のフレーム部材５２，５４がフレーム５０の頂点５６で出会う頂上部５３とを有する。各々の部材５２，５４は、リング５５を介してガラスステム１２により低い方の端部で取り付けられ、このリング５５は、部材５２，５４の下底部で滑動される。フレーム部材５２，５４は、リード線１８，２２から電気的に絶縁される。フレーム５０の頂点５６は、（スプリングクリップとも呼ばれる）リーフスプリング５７に溶接される。このスプリング５７は、外囲部１４に対してフレーム５０を位置決めし、後に説明されるようにディスク６４を保持する。
【００１０】
石英から作られる管状のスリーブ４０は、直立のフレーム部材５２，５４の間でアーク管２８を取り囲む。石英スリーブ４０は、万一非受動的に壊れる場合にアーク管の飛び散る破片の衝撃を吸収する。スリーブ４０を取り囲むワイヤヘリックス４６は、万一スリーブ４０が壊れる場合でもすべての石英の砕片の放射状の散乱を抑える。従って、万一アーク管が壊れる場合でもガラス外囲部１４を保護する。スリーブ４０は、その上端部４２に隣接する直径に沿って対向する１対の開口部（アパーチャ）４３と、その下端部４４に隣接する直径に沿って対向する１対の開口部４５とをもつ。開口部４３，４５の各対は、開いた端部及び閉じた端部をもつ伸長Ｕ字形クリップ６０を受けとる。本明細書に参照によって取り入れられている米国特許出願シリアル番号０９／４０６，２８８に説明されたように、クリップ６０は、スリーブ４０の内側に配置されるピンチされた端部３１，３３をそれぞれ取り囲むとともに、スリーブ４０の外側に配置されるフレーム部材５２，５４もそれぞれ同様に取り囲む。開口部４３，４５は、ダイヤモンドホイールで管状スリーブ４０の軸に対して横向きに切り取られる伸長スロットである。
【００１１】
石英スリーブ４０は、前面ガラスが全くない開放型の装備品において安全に動作されうる保護されたメタルハライドランプに存在する。アーク管２８の上に位置付けられる石英スリーブ４０は、例えば、力を受けた（容量性放電）破裂試験のようなランプが壊れる場合、アーク管２８の封じ込めを手助けする。但し、ランプが壊れる場合、従来のランプの外側バルブ外被（ジャケット）又は外囲部（エンベロープ）１４の頂上部又はドーム端部６２は、例えば、高温のアーク管／シュラウド部品の溶け込みが起こるほどまでに損傷を被りやすい。これを起こさないため、ドーム６２を損傷から遮蔽するようなやり方において、取り付け（マウント）構造内にディスク６４が位置付けられる。例証的に、ディスク６４はマイカディスクである。
【００１２】
図２を参照すると、マイカディスク６４は、ドーム６２を保護するように形づくられる。例証的に、マイカディスク６４は円形である。マイカディスク６４は、スロット６６の幅６８がフレーム５０を形成するワイヤの直径と等しい中心においてスロット６６を有する。これにより、マイカディスク６４がフレーム５０の頂上部５６の上でぴったりとしたフィット性をもつことが可能になる。
【００１３】
図１Ａ、１Ｂ及び２に示されるように、スロット６６の長さ７０は十分な長さをもつので、スロット６６を通して頂上フレーム部分５３の上を滑動するように、ディスク６４が主要なフレーム５０の頂上端部５６に設置されるとき、スプリングクリップ５７は、例えば抵抗溶接されるなどして、フレーム５０の頂上端部５６に所定の位置に溶接されることができ、この結果として、スプリングクリップ５７が所定の位置においてディスク６４を支持する。
【００１４】
とりわけ、図１Ｂに示されるように、スプリングクリップ５７のエッジは、ディスク６４の固定支持を提供するため、コーナー７２で内向きに曲げられる。このディスク６４は、スプリングクリップのエッジに接触し、好ましくはコーナー７２において又はその近傍で接触する。ディスク６４の全直径７４（図２）は、それが外側バルブドーム６２の内側表面の大半の部分を覆い、従って、ランプが壊れるとき、高温の破裂したアーク管／シュラウドの砕片との接触からドーム６２を保護するようにされる。ディスク６４の直径７４は、平行なワイヤフレーム部材５２と５４との間の距離と少なくとも同程度の長さである。例証的に、スロット６６の長さ７０は約０．３２０インチであり、ディスク６４の直径７４は約１．８１１インチである。
【００１５】
ランプを組み立てるために、ステム１２周りのリング５５と、フレーム部材５２，５４の下端部とを取り付けることによって、フレーム５０が取り付けられ、その際にアーク管２８及びスリーブ４０がクリップ６０で取り付けられる。クリップ６０がピンチ３１，３２に強固に取り付けられていることを確実にするために、クリップ開放（オープン）端部が、フレーム部材５２，５４それぞれに溶接される。頂上及び下底のクリップ６０の開放端部は、対向する向きにあるので、これら開放端部は、対向するフレーム部材５２，５４それぞれに溶接される。更にこの溶接は、フレーム５０に対してスリーブ４０及びアーク管２８の軸方向の安定性を提供する。編み組み結線２０及びフライングリード２６は、リード線１８，２２とアーク管リード線３０，３２との間で接続される。次に、マイカディスク６４が、スロット６６を通してフレーム５０の頂上部５６の上に設置され、更にリーフスプリング５７が、ディスク６４の上に設置されるとともに、フレーム頂上端部５６に溶接される。最後に、ガラス外囲部１４が、ステム１２とベース１０とに取り付けられて封止される。
【００１６】
前述事項は例示的であり、記載された請求項の態様を制限することを意図したものではない。
【図面の簡単な説明】
【図１Ａ】本発明によるランプの側面図である。
【図１Ｂ】本発明による図１Ａに対して直交に見た側面図である。
【図２】本発明によるマイカディスクの平面図である。
【国際公開パンフレット】
2004502277.tif 000003
2004502277.tif 000004
2004502277.tif 000005
2004502277.tif 000006
2004502277.tif 000007
2004502277.tif 000008
2004502277.tif 000009
2004502277.tif 000010
2004502277.tif 000011
2004502277.tif 000012
【国際調査報告】
2004502277.tif 000013
2004502277.tif 000014
2004502277.tif 000015